(57)【要約】【課題】  カメラの場所をより確実に判定し、撮影モードの設定を自動的に行うことによりユーザーの手間と操作時間を削減する。【解決手段】  ＲＴＣＩＣ２１は日付データを送出する。ＲＴＣ制御部２２は送出された日付データをＲＴＣデータ記憶部２３に格納する。温度センサＩＣ２４は温度データを求めるための電圧を出力する。温度検出制御部２５は温度センサＩＣ２４の出力電圧を温度データに変換し、温度検出データ記憶部２６に格納する。ユーザー居場所推測制御部２７はＲＴＣデータ記憶部２３から読み出した日付データと温度検出データ記憶部２６から読み出した温度データとに基づいてテーブルを参照してユーザーの居場所が屋内であるか屋外であるかを推測する。カメラ制御部２８は推測されたユーザー居場所に基づいてホワイトバランス等の撮影モードを設定する。【選択図】      図１
2005117457.tif 000002
【特許請求の範囲】
【請求項１】
日付データを求める手段と、温度データを求める手段と、求められた前記日付データと前記温度データとに基づいて撮影モードを設定する手段とを備えたことを特徴とするカメラ。
【請求項２】
日付データを送出するクロック部と、送出された前記日付データを格納する日付データ記憶部と、温度データを求めるための電圧を出力する温度センサと、前記温度センサの出力電圧を温度データに変換する温度検出制御部と、前記温度データを格納する温度検出データ記憶部と、前記日付データ記憶部から読み出した日付データと前記温度検出データ記憶部から読み出した温度データとに基づいて現在場所を推測する推測制御部と、推測された現在場所に基づいて撮影モードを設定するカメラ制御部とを備えたことを特徴とするカメラ。
【請求項３】
前記推測制御部は、季節と温度範囲との組み合わせに現在場所を対応付けるテーブルを有し、このテーブルを参照して現在場所を推測することを特徴とする請求項２記載のカメラ。
【請求項４】
前記推測制御部は現在場所として屋内であるか屋外であるかを推測することを特徴とする請求項２または３記載のカメラ。
【請求項５】
前記カメラ制御部が設定する撮影モードがホワイトバランスであることを特徴とする請求項２、３または４記載のカメラ。
【請求項６】
日付データを送出するステップと、送出された前記日付データを日付データ記憶部に格納するステップと、温度データを求めるための電圧を出力するステップと、出力された前記電圧を温度データに変換するステップと、前記温度データを温度検出データ記憶部に格納するステップと、前記日付データ記憶部から読み出した日付データと前記温度検出データ記憶部から読み出した温度データとに基づいて現在場所を推測するステップと、推測された現在場所に基づいて撮影モードを設定するステップとを備えたことを特徴とするカメラ制御方法。
【請求項７】
クロック部から送出された日付データを日付データ記憶部に格納する処理と、温度センサから出力された電圧を温度データに変換する処理と、前記温度データを温度検出データ記憶部に格納する処理と、前記日付データ記憶部から読み出した日付データと前記温度検出データ記憶部から読み出した温度データとに基づいて現在場所を推測する処理と、推測された現在場所に基づいて撮影モードを設定する処理とをコンピュータに実行させるためのプログラム。
【請求項８】
カメラを内蔵した携帯電話であって、前記カメラは、日付データを求める手段と、温度データを求める手段と、求められた前記日付データと前記温度データとに基づいて撮影モードを設定する手段とを備えたことを特徴とする携帯電話。
【請求項９】
カメラを内蔵した携帯電話であって、前記カメラは、日付データを送出するクロック部と、送出された前記日付データを格納する日付データ記憶部と、温度データを求めるための電圧を出力する温度センサと、前記温度センサの出力電圧を温度データに変換する温度検出制御部と、前記温度データを格納する温度検出データ記憶部と、前記日付データ記憶部から読み出した日付データと前記温度検出データ記憶部から読み出した温度データとに基づいて現在場所を推測する推測制御部と、推測された現在場所に基づいて撮影モードを設定するカメラ制御部とを備えたことを特徴とする携帯電話。
【請求項１０】
前記推測制御部は、季節と温度範囲との組み合わせに現在場所を対応付けるテーブルを有し、このテーブルを参照して現在場所を推測することを特徴とする請求項９記載の携帯電話。
【請求項１１】
前記推測制御部は現在場所として屋内であるか屋外であるかを推測することを特徴とする請求項９または１０記載の携帯電話。
【請求項１２】
前記カメラ制御部が設定する撮影モードがホワイトバランスであることを特徴とする請求項９、１０または１１記載の携帯電話。
【発明の詳細な説明】
【技術分野】
【０００１】
本発明はカメラおよび携帯電話に関し、特に、撮影モード切り替え機能を有するカメラおよびこのカメラを内蔵した携帯電話に関する。
【背景技術】
【０００２】
メール機能、カメラ機能、動画機能など、携帯電話には通話機能以外のさまざまな用途が求められるようになった。今後、Ｗ−ＣＤＭＡ（Wideband Code Division Multiple Access）のさらなる普及に伴い、より複雑かつ面倒な操作を必要とする機能が増えていくと推測される。しかしユーザーとしては複雑かつ面倒な操作は時間の無駄であり少しでも短縮できる事を望んでいる。カメラ機能を利用する場合には、その場に適したモードでの撮影設定を行うために、一度サブメニューを表示してユーザーが設定を行うことになる。
【０００３】
撮影モード設定を自動的に行う方式として、カメラから障害物までの距離を検出してカメラが屋内にあるか屋外にあるかを推定し、その情報に基づいて設定する方式が開示されている（たとえば特許文献１参照。）。
【０００４】
【特許文献１】特開２００１−３３９７３３号公報
【発明の開示】
【発明が解決しようとする課題】
【０００５】
上述した従来のカメラは、その場に適した撮影モードの設定をユーザーが行うことになるため、その手間と操作時間が必要となるという問題点がある。
【０００６】
特許文献１に開示された方式では、屋外であってもカメラの上に障害物が存在した場合には屋内と誤判定するという欠点がある。
【０００７】
本発明の目的は、カメラの場所をより確実に判定し、撮影モードの設定を自動的に行うことによりユーザーの手間と操作時間を削減するカメラおよびこのカメラを内蔵した携帯電話を提供することにある。
【課題を解決するための手段】
【０００８】
本発明のカメラは、日付データを求める手段と、温度データを求める手段と、求められた前記日付データと前記温度データとに基づいて撮影モードを設定する手段とを備えたことを特徴とする。
【０００９】
本発明のカメラは、日付データを送出するクロック部と、送出された前記日付データを格納する日付データ記憶部と、温度データを求めるための電圧を出力する温度センサと、前記温度センサの出力電圧を温度データに変換する温度検出制御部と、前記温度データを格納する温度検出データ記憶部と、前記日付データ記憶部から読み出した日付データと前記温度検出データ記憶部から読み出した温度データとに基づいて現在場所を推測する推測制御部と、推測された現在場所に基づいて撮影モードを設定するカメラ制御部とを備えたことを特徴としてもよい。
【００１０】
本発明のカメラは、前記推測制御部は、季節と温度範囲との組み合わせに現在場所を対応付けるテーブルを有し、このテーブルを参照して現在場所を推測することを特徴としてもよい。
【００１１】
本発明のカメラは、前記推測制御部は現在場所として屋内であるか屋外であるかを推測することを特徴としてもよい。
【００１２】
本発明のカメラは、前記カメラ制御部が設定する撮影モードがホワイトバランスであることを特徴としてもよい。
【００１３】
本発明のカメラ制御方法は、日付データを送出するステップと、送出された前記日付データを日付データ記憶部に格納するステップと、温度データを求めるための電圧を出力するステップと、出力された前記電圧を温度データに変換するステップと、前記温度データを温度検出データ記憶部に格納するステップと、前記日付データ記憶部から読み出した日付データと前記温度検出データ記憶部から読み出した温度データとに基づいて現在場所を推測するステップと、推測された現在場所に基づいて撮影モードを設定するステップとを備えたことを特徴とする。
【００１４】
本発明のプログラムは、クロック部から送出された日付データを日付データ記憶部に格納する処理と、温度センサから出力された電圧を温度データに変換する処理と、前記温度データを温度検出データ記憶部に格納する処理と、前記日付データ記憶部から読み出した日付データと前記温度検出データ記憶部から読み出した温度データとに基づいて現在場所を推測する処理と、推測された現在場所に基づいて撮影モードを設定する処理とをコンピュータに実行させる。
【００１５】
本発明の携帯電話は、カメラを内蔵した携帯電話であって、前記カメラは、日付データを求める手段と、温度データを求める手段と、求められた前記日付データと前記温度データとに基づいて撮影モードを設定する手段とを備えたことを特徴とする。
【００１６】
本発明の携帯電話は、カメラを内蔵した携帯電話であって、前記カメラは、日付データを送出するクロック部と、送出された前記日付データを格納する日付データ記憶部と、温度データを求めるための電圧を出力する温度センサと、前記温度センサの出力電圧を温度データに変換する温度検出制御部と、前記温度データを格納する温度検出データ記憶部と、前記日付データ記憶部から読み出した日付データと前記温度検出データ記憶部から読み出した温度データとに基づいて現在場所を推測する推測制御部と、推測された現在場所に基づいて撮影モードを設定するカメラ制御部とを備えたことを特徴とする。
【００１７】
本発明の携帯電話は、前記推測制御部は、季節と温度範囲との組み合わせに現在場所を対応付けるテーブルを有し、このテーブルを参照して現在場所を推測することを特徴としてもよい。
【００１８】
本発明の携帯電話は、前記推測制御部は現在場所として屋内であるか屋外であるかを推測することを特徴としてもよい。
【００１９】
本発明の携帯電話は、前記カメラ制御部が設定する撮影モードがホワイトバランスであることを特徴としてもよい。
【発明の効果】
【００２０】
本発明によれば、カメラ撮影モードの設定を高精度で自動的に行うため、カメラ使用時における操作時間が短縮されるという効果がある。
【００２１】
また、それにより、時間がかかる面倒な設定をしなければいけないという不快感が激減する。
【発明を実施するための最良の形態】
【００２２】
本発明を実施するための最良の形態について図面を参照して詳細に説明する。図１は本発明の構成を示すブロック図である。図１を参照すると、本発明の本発明の実施の形態は、電話機部１０、ＲＴＣ（Real Time Clock）ＩＣ２１、ＲＴＣ制御部２２、ＲＴＣデータ記憶部２３、温度センサＩＣ２４、温度検出制御部２５、温度検出データ記憶部２６、ユーザー居場所推測制御部２７、カメラ制御部２８、カメラモジュール２９を含む。
【００２３】
電話機部１０は、図では省略してあるが、通常の携帯電話と同様に、キー操作部、表示部、電話制御部等を有する。ＲＴＣＩＣ２１は、年、月、日、時、分、曜日のデータをシリアル転送により送出する。ＲＴＣ制御部２２は、ＲＴＣＩＣ２１からＲＴＣデータを読み出し、読み出したＲＴＣデータをＲＴＣデータ記憶部２３へ格納する。ＲＴＣデータ記憶部２３は、ＲＴＣのデータを格納する。ＲＴＣＩＣ２１、ＲＴＣ制御部２２、ＲＴＣデータ記憶部２３は、電話機部１０と共有であってもよい。温度センサＩＣ２４は、温度検出のための電圧を出力する。温度検出制御部２５は、温度センサＩＣ２４の出力電圧をもとに温度データを算出する。温度検出データ記憶部２６は、温度検出データを格納する記憶部であり、ＲＡＭ（random access memory）が用いられる。ユーザー居場所推測制御部２７は、ＲＴＣデータと温度データとをもとにカメラの現在場所すなわちユーザーの居場所を推測する。カメラ制御部２８は、携帯電話用カメラモジュールであるカメラモジュール２９の制御を行う。たとえば、ホワイトバランスを調整する事により「屋内」「屋外」などの各撮影モードに切り替える。
【００２４】
ＲＴＣ制御部２２、ＲＴＣデータ記憶部２３、温度検出制御部２５、温度検出データ記憶部２６、ユーザー居場所推測制御部２７、カメラ制御部２８は、プログラム制御により動作させることができる。
【００２５】
次に、本発明を実施するための最良の形態の動作について図面を参照して説明する。図２は
まず、ＲＴＣＩＣ２１が１分毎に割り込みを入れる。これを利用して温度検出制御部２５が割り込み時の処理を行う（ステップＡ１）。温度検出制御部２５は、温度センサＩＣ２４の出力値を読み出し（ステップＡ２）、読み出した出力値を計算式により温度データに変換し（ステップＡ３）、この温度データを温度検出データ記憶部２６に格納する（ステップＡ４）。
【００２６】
温度データの格納が終わった後、ＲＴＣ制御部２２はＲＴＣＩＣ２１よりＲＴＣデータを読み出し（ステップＡ５）、読み出したＲＴＣデータをＲＴＣデータ記憶部２３へ格納する（ステップＡ６）。
【００２７】
ユーザー居場所推測制御部２７は、ＲＴＣデータをＲＴＣデータ記憶部２３から読み出し、さらに、温度データを温度検出データ記憶部２６から読み出して、ユーザー居場所推測処理を行う（ステップＡ７）。
【００２８】
図３と図４は、ユーザー居場所推測処理（図２のステップＡ７）の詳細を示すフローチャートである。
【００２９】
ユーザー居場所推測制御部２７は、ＲＴＣデータをＲＴＣデータ記憶部２３から読み出し、さらに、温度データを温度検出データ記憶部２６から読み出す（ステップＢ１）。
【００３０】
ユーザー居場所推測制御部２７は、まずＲＴＣデータが１月〜２月かを比較する（ステップＢ２）。１月〜２月であれば季節を冬に設定する（ステップＢ３）。
【００３１】
ステップＢ２で１月〜２月でなければ、次に３月〜５月かを比較する（ステップＢ４）。３月〜５月であれば季節を春に設定する（ステップＢ５）。
【００３２】
ステップＢ４で３月〜５月でなければ、次に６月〜８月かを比較する（ステップＢ６）。６月〜８月であれば季節を夏に設定する（ステップＢ７）。
【００３３】
ステップＢ６で６月〜８月でなければ、次に９月〜１１月かを比較する（ステップＢ８）。９月〜１１月であれば季節を秋に設定する（ステップＢ９）。
【００３４】
ステップＢ８で９月〜１１月でなければ、次に１２月かを比較する（ステップＢ１０）。１２月であれば季節を冬に設定する（ステップＢ１１）。
【００３５】
ステップＢ２、Ｂ４、Ｂ６、Ｂ８、Ｂ１０で、もしどの月にも当てはまらなければ判断ができない為、ユーザーの居場所はＮＵＬＬ(不明)とする（ステップＢ１２）。
【００３６】
ステップＢ２〜Ｂ１０の全てのチェックが終わったら、図４に示す判定処理に移行する。図５（ａ）〜（ｄ）は季節と温度範囲との組み合わせにユーザー居場所を対応付ける図であり、ユーザー居場所推測制御部２７がこのテーブルを有する。
【００３７】
ユーザー居場所推測制御部２７は、ステップＢ１で読み込んだ温度検出データが０度〜１０度であるかを比較する（ステップＣ２）。０度〜１０度であれば図５（ａ）のデータテーブルを参照してユーザーの居場所を設定する（ステップＣ３）。
【００３８】
ステップＣ３の設定手順を説明する。図５（ａ）では、「冬」に「屋外」が対応し、「春」と「夏」と「秋」に「屋内」が対応している。従って、図３の処理で季節を「冬」に設定していた場合はユーザー居場所は「屋外」であると設定する。図３の処理で季節を「春」または「夏」または「秋」に設定していた場合はユーザー居場所は「屋内」であると設定する。
【００３９】
ステップＣ２で０度〜１０度でなければ、次に１０度〜２０度であるかを比較する（ステップＣ４）。１０度〜２０度であれば図５（ｂ）のデータテーブルを参照してユーザーの居場所を設定する（ステップＣ５）。ステップＣ５では、図３の処理で季節を「冬」または「春」または「秋」に設定していた場合はユーザー居場所は「屋外」であると設定し、季節を「夏」に設定していた場合はユーザー居場所は「屋内」であると設定する。
【００４０】
ステップＣ４で１０度〜２０度でなければ、次に２０度〜３０度であるかを比較する（ステップＣ６）。２０度〜３０度であれば図５（ｃ）のデータテーブルを参照してユーザーの居場所を設定する（ステップＣ７）。ステップＣ７では、図３の処理で季節を「冬」または「春」に設定していた場合はユーザー居場所は「屋内」であると設定し、季節を「夏」または「秋」に設定していた場合はユーザー居場所は「屋外」であると設定する。
【００４１】
ステップＣ６で２０度〜３０度でなければ、次に３０度〜４０度であるかを比較する（ステップＣ８）。３０度〜４０度であれば図５（ｄ）のデータテーブルを参照してユーザーの居場所を設定する（ステップＣ９）。ステップＣ９では、図３の処理で季節を「冬」または「春」または「秋」に設定していた場合はユーザー居場所は「屋内」であると設定し、季節を「夏」に設定していた場合はユーザー居場所は「屋外」であると設定する。
【００４２】
ステップＣ８で３０〜４０度でなければユーザーの居場所はＮＵＬＬ(不明)とする（ステップＣ１０）。
【００４３】
ユーザー居場所推測制御部２７は、以上の流れにより、ユーザーの居場所を推測し、推測値をカメラ制御部２８に渡す。カメラ制御部２８は、渡されたユーザー居場所推測値に適したモードにカメラの撮影モードを切り替える。これにより、ユーザーは自動的にその場に適した撮影モードでカメラを使用する事が可能となる。
【００４４】
撮影モードの切り替えの例として、「屋内」「屋外」の推測値に合わせてカメラ制御部２８が調整する。
【００４５】
以上の実施の形態は、カメラ付き携帯電話の例を説明したが、本発明はこれに限定されるものではなく、たとえば、独立したカメラにも適用できる。また、電話機能を有しない、カメラ付き携帯端末にも適用できる。
【図面の簡単な説明】
【００４６】
【図１】本発明の構成を示すブロック図である。
【図２】本発明の動作を示すフローチャートである。
【図３】ユーザー居場所推測処理の詳細を示すフローチャートである。
【図４】ユーザー居場所推測処理の詳細を示すフローチャートである。
【図５】図５（ａ）〜（ｄ）は季節と温度範囲との組み合わせにユーザー居場所を対応付ける図である。
【符号の説明】
【００４７】
１０    電話機部
２１    ＲＴＣＩＣ
２２    ＲＴＣ制御部
２３    ＲＴＣデータ記憶部
２４    温度センサＩＣ
２５    温度検出制御部
２６    温度検出データ記憶部
２７    ユーザー居場所推測制御部
２８    カメラ制御部
２９    カメラモジュール
【図１】
2005117457.tif 000003
【図２】
2005117457.tif 000004
【図３】
2005117457.tif 000005
【図４】
2005117457.tif 000006
【図５】
2005117457.tif 000007